(57)【要約】【課題】中継装置によれば、スリープ状態と非スリープ状態の切り替え可能な第２の端末装置が不必要にウェイクアップすることを抑制できる。【解決手段】第１の端末装置１１と第２の端末装置１２の間の通信を中継する中継装置１３は、第２の端末装置１２をウェイクアップさせるための情報の送信を制限するか否かを示す権限を記憶する第３の記憶部１３３と、前記権限では制限がない場合に、第１の端末装置１１からサービス要求メッセージを受信すると、第２の端末装置１２をウェイクアップさせるための情報を送信する第３の通信手段１２２と、第２の端末装置１２から受信した応答メッセージの応答内容が正常応答内容でないとセッション確立判定手段１３７が判定した場合に、第２の端末装置１２をウェイクアップさせるための情報の送信を制限するものとして前記権限を与えるウェイクアップ権限登録手段１３８を備える。【選択図】図１
2010109928.tif 000002
【特許請求の範囲】
【請求項１】
第１の端末装置と、スリープ状態と非スリープ状態との切り替えが可能な第２の端末装置との間の通信を中継する中継装置であって、
前記第１の端末装置から前記第２の端末装置へのサービス要求内容を含むサービス要求メッセージを受信するとともに、前記第２の端末装置から前記第１の端末装置への前記サービス要求内容に対する応答内容を含む応答メッセージを受信する第１の通信手段と、
前記第２の端末装置に対して、スリープ状態から非スリープ状態へ切り替えるための情報の送信を制限するか否かを示す権限を記憶する第１の記憶手段と、
前記権限では制限がない場合に、前記第１の端末装置から前記サービス要求メッセージを受信すると、前記第２の端末装置をスリープ状態から非スリープ状態へ切り替えるための情報を前記第２の端末装置に対して送信する第２の通信手段と、
前記応答内容が正常応答内容であるか否かを判定する判定手段と、
前記判定手段が正常応答内容でないと判定した場合に、前記第１の記憶手段に、前記第２の端末装置をスリープ状態から非スリープ状態へと切り替えるための情報の送信を制限するものとして前記権限を登録する登録手段とを備える中継装置。
【請求項２】
更に、期待サービス要求内容と、前記期待サービス要求内容に対する応答である前記正常応答内容とを記憶する第２の記憶手段を備え、
前記判定手段は、前記応答内容が正常応答内容であるか否かを、前記期待サービス要求内容と前記正常応答内容との組み合わせと、前記サービス要求内容と前記応答内容との組み合わせとが一致するか否かにより判定することを特徴とする請求項１記載の中継装置。
【請求項３】
前記登録手段は、前記判定手段が正常応答内容でないと判定した場合であっても、正常応答内容でないと判定した回数が一定回数以下であれば、前記第２の端末装置をスリープ状態から非スリープ状態へと切り替えるための情報の送信を制限するものとする前記権限を登録しないことを特徴とする請求項１記載の中継装置。
【請求項４】
第１の端末装置とスリープ状態と非スリープ状態との切り替えが可能な第２の端末装置との間の通信を中継する中継装置であって、
前記第１の端末装置から前記第２の端末装置へのサービス要求内容を含むサービス要求メッセージを受信するとともに、前記第２の端末装置から前記第１の端末装置への前記サービス要求メッセージに対する応答内容を含む応答メッセージを受信する第１の通信手段と、
前記第２の端末装置に対して、スリープ状態から非スリープ状態へ切り替えるための情報の送信を制限するか否かを示す権限を記憶する記憶手段と、
前記権限では制限がない場合に、前記第１の端末装置から前記サービス要求メッセージを受信すると、前記第２の端末装置をスリープ状態から非スリープ状態へ切り替えるための情報を前記第２の端末装置に対して送信する第２の通信手段と、
前記第２の端末装置が記憶する上限応答遅延時間を記憶する記憶手段と、
前記応答メッセージを受信した時刻から前記サービス要求を受信した時刻との差が、前記上限応答遅延時間より大きいか否かを判定する判定手段と、
前記判定手段が大きいと判定した場合に、前記第２の端末装置をスリープ状態から非スリープ状態へと切り替えるための情報の送信を制限するものとして前記権限を登録する登録手段とを備える中継装置。
【請求項５】
前記登録手段は、前記判定手段が大きいと判定した場合であっても、大きいと判定した回数が一定回数以下であれば、前記第２の端末装置をスリープ状態から非スリープ状態へと切り替えるための情報の送信を制限するものとする前記権限を登録しないことを特徴とする請求項４記載の中継装置。
【発明の詳細な説明】
【技術分野】
【０００１】
本発明は、スリープ状態へ切替可能な端末装置との間の通信を仲介する中継装置に関する。
【背景技術】
【０００２】
例えば、端末装置によるサービス提供が行われている時等の一定時以外にはその端末装置の一部だけに電源を供給することにより「スリープ状態」とし、サービス提供が行われている時等の一定時にだけ、その端末装置の全体に電源を供給することにより「非スリープ状態」とすることにより低消費電力を図るスリープ状態と非スリープ状態の切り替え可能な端末装置がある。
【０００３】
しかしながら、ネットワークに接続されたスリープ状態と非スリープ状態に切り替え可能な端末装置は、ネットワークに接続されたその他の端末装置から頻繁にアクセスされるため、スリープ状態にある端末装置はすぐに非スリープ状態へ遷移してしまい、スリープ状態を長時間維持することが困難である。従って、消費電力の低減という目的が十分に達成することができない。
【０００４】
このような課題を解決する技術として、例えば、特許文献１記載の技術がある。この技術によれば、メッセージとその応答メッセージとの対応関係を記憶するデータベースを有する中継装置が、スリープ状態にある端末装置宛のメッセージを受信した場合に、そのメッセージとそのメッセージに対応する応答メッセージとをデータベースに記憶している場合に、メッセージに対応する応答メッセージをスリープ状態にある端末装置に代わって、メッセージの送信元に送信する。そのメッセージがデータベースに記憶されていない場合だけ、当該メッセージを端末装置に転送して、スリープ状態にある端末装置を非スリープ状態にすれば良い。この技術によれば、中継装置のデータベースに記憶されているメッセージに対しては、中継装置が代理応答するので、スリープ状態にある端末装置が非スリープ状態へ遷移する回数を減らすことができる。
【０００５】
しかしながら、この技術においては、中継装置に記憶されていないメッセージであれば、スリープ状態と非スリープ状態切り替え可能な端末装置が、非スリープ状態の時に、正常に応答できない端末装置からのメッセージであっても、スリープ状態を非スリープ状態としてしまい、スリープ状態にある端末装置を不必要にウェイクアップさせてしまう。
【０００６】
このため、端末装置は、スリープ状態を長時間維持することが困難となり、低消費電力を効果的に達成することができない。
【特許文献１】特開２０００−１６５４１９号公報
【発明の開示】
【発明が解決しようとする課題】
【０００７】
本発明の中継装置によれば、スリープ状態と非スリープ状態の切り替えが可能な端末装置が非スリープ状態にある場合に、当該端末装置が正常に応答できないメッセージを他の端末装置から受信した場合には、スリープ状態にある端末装置に対してウェイクアップさせないようにする。
【課題を解決するための手段】
【０００８】
上記目的を達成するために、本発明の一実施態様に係る中継装置は、第１の端末装置と、スリープ状態と非スリープ状態との切り替えが可能な第２の端末装置との間の通信を中継する中継装置であって、前記第１の端末装置から前記第２の端末装置へのサービス要求内容を含むサービス要求メッセージを受信するとともに、前記第２の端末装置から前記第１の端末装置への前記サービス要求内容に対する応答内容を含む応答メッセージを受信する第１の通信手段と、前記第２の端末装置に対して、スリープ状態から非スリープ状態へ切り替えるための情報の送信を制限するか否かを示す権限を記憶する第１の記憶手段と、前記権限では制限がない場合に、前記第１の端末装置から前記サービス要求メッセージを受信すると、前記第２の端末装置をスリープ状態から非スリープ状態へ切り替えるための情報を前記第２の端末装置に対して送信する第２の通信手段と、前記応答内容が正常応答内容であるか否かを判定する判定手段と、前記判定手段が正常応答内容でないと判定した場合に、前記第１の記憶手段に、前記第２の端末装置をスリープ状態から非スリープ状態へと切り替えるための情報の送信を制限するものとして前記権限を登録する登録手段とを備える。
【０００９】
又、本発明の一実施態様に係る中継装置は、第１の端末装置とスリープ状態と非スリープ状態との切り替えが可能な第２の端末装置との間の通信を中継する中継装置であって、前記第１の端末装置から前記第２の端末装置へのサービス要求内容を含むサービス要求メッセージを受信するとともに、前記第２の端末装置から前記第１の端末装置への前記サービス要求メッセージに対する応答内容を含む応答メッセージを受信する第１の通信手段と、前記第２の端末装置に対して、スリープ状態から非スリープ状態へ切り替えるための情報の送信を制限するか否かを示す権限を記憶する記憶手段と、前記権限では制限がない場合に、前記第１の端末装置から前記サービス要求メッセージを受信すると、前記第２の端末装置をスリープ状態から非スリープ状態へ切り替えるための情報を前記第２の端末装置に対して送信する第２の通信手段と、前記第２の端末装置が記憶する上限応答遅延時間を記憶する記憶手段と、前記応答メッセージを受信した時刻から前記サービス要求を受信した時刻との差が、前記上限応答遅延時間より大きいか否かを判定する判定手段と、前記判定手段が大きいと判定した場合に、前記第２の端末装置をスリープ状態から非スリープ状態へと切り替えるための情報の送信を制限するものとして前記権限を登録する登録手段とを備える。
【発明の効果】
【００１０】
本発明の中継装置によれば、スリープ状態にある端末装置を不必要にウェイクアップすることを抑制し、スリープ状態にある端末装置が、長時間スリープ状態を保持できるため、端末装置の低消費電力を達成することができる。
【発明を実施するための最良の形態】
【００１１】
（第１の実施形態）
図１は、第１の実施形態に係る通信システムを示すブロック図である。本実施形態に係る通信システムは、サービスの提供を受けたい第１の端末装置１１とサービスを提供する第２の端末装置１２と端末装置間のメッセージを中継する中継装置１３とを備える。
【００１２】
第２の端末装置１２は、スリープ状態と非スリープ状態が切り替え可能な装置である。ここで、スリープ状態は、非スリープ状態の時と比べて、低機能ではあるが、高い低消費電力を達成することができる状態である。
【００１３】
図１では、サービスの提供を受けたい端末装置１１が１つだけ図示されているが、複数の他の端末装置が第２の端末装置１２をアクセス可能である。
【００１４】
また、第１の端末装置１１と第２の端末装置１２と中継装置１３は、第１の通信路１４により互いに通信を行う。また、第２の端末装置１２と中継装置１３は、第２の通信路１５により互いに通信を行う。第１の通信路１４及び第２の通信路１５は、例えば、無線通信路である。尚、第１の通信路１４、第２の通信路１５ともに、有線通信路であっても良い。
【００１５】
第１の端末装置１１は、第１の通信手段１１１とサービス要求手段１１２と第１の記憶部１１３を備える。
【００１６】
第１の通信手段１１１は、第１の通信路１４を用いて、第２の端末装置１２及び中継装置１３と通信を行う。
【００１７】
サービス要求手段１１２は、所定のサービス要求内容を設定して、第１の通信手段１１１によりサービス要求する手段である。
【００１８】
また、第１の記憶部１１３は、第１の端末装置１１の第１の通信手段１１１を特定する識別子である第１識別子を記憶する。第１識別子は、ある一時点において、第１の通信路１４上で固有であれば、必要十分なものである。
【００１９】
第２の端末装置１２は、提供可能なサービス要求を他の端末装置から受けた場合に、サービス要求を行う装置である。
【００２０】
第２の端末装置１２は、第２の通信手段１２１、第３の通信手段１２２、ウェイクアップ識別子判定手段１２４、ウェイクアップ手段１２５、応答手段１２３と第２の記憶部１２６とを備える。
【００２１】
第２の端末装置は、スリープ状態の時は、ウェイクアップ（スリープ状態から非スリープ状態へ切り替える）するために必要最低限の機能のみを実行可能とする状態である。例えば、スリープ状態における第２の端末装置１２は、第３の通信手段１２２とウェイクアップ識別子判定手段１２４とウェイクアップ手段１２５が実行可能である。一方、非スリープ状態の時は、ウェイクアップするための必要最低限の機能以外も実行可能な状態である。少なくとも、第２の通信手段１２１により第１の通信路１４を介して中継装置１３とメッセージの送受信を行うこと、第１の端末装置１１からのサービス要求に応じてサービスを提供することができる。
【００２２】
第２の通信手段１２１は非スリープ状態の時に、第１の通信路１４により通信を行う手段である。本実施形態においては、第１の端末装置１１及び中継装置１３と通信を行う。
【００２３】
第３の通信手段１２２はスリープ状態の時に、第２の通信路１５により通信を行う手段である。本実施形態においては、中継装置１３と通信を行う。
【００２４】
ウェイクアップ識別子判定手段１２４は、後述するように中継装置１３が送信し、第３の通信手段１２２により受信するウェイクアップ識別子と第２の端末装置１２が後述する第２の記憶部１２６に記憶するウェイクアップ識別子とが一致するか否かを判定する手段である。そして、一致する場合に、ウェイクアップ手段１２５に、第２の端末装置１２をウェイクアップさせる指示を行う。
【００２５】
第２の記憶部１２６は、第２識別子とウェイクアップ識別子と期待サービス要求内容と正常応答内容とを記憶する。第２識別子は、第２の端末装置１２の第２の通信手段１２１を特定する識別子である。第２識別子は、第１識別子と同様に、ある一時点において、第１の通信路１４上で固有であれば、必要十分なものである。
【００２６】
図２に、本実施形態に係るウェイクアップ手段１２５の一例を示す。ウェイクアップ手段１２５は、電源部１２７と電圧変換部１２５２との間の電源線の接続／切断を制御するリレー制御部１２５１と、電源部１２７から供給される電圧を第２の通信手段１２１の電源入力に適合した電圧へ変換する電圧変換部１２５２を有する。リレー制御部１２５１は、スリープ状態においては、電源線を切断された状態に制御する。一方、ウェイクアップ識別子判定手段１２４が一致すると判定し場合、切断状態の電源線を接続状態へ切り替える。その結果、電圧変換部１２５２が電圧を第２の通信手段１２１に対して供給することにより、第２の通信手段１２１をウェイクアップさせる（非スリープ状態になる）。リレー制御部１２５１は、非スリープ状態においては、第２の端末装置１２の（図２に図示しない）他の部位にも通電する。例えば、非スリープ状態においては、応答手段１２３にも通電する。
【００２７】
応答手段１２３は、非スリープ状態において、第１の端末装置１１からサービス要求に対して、応答メッセージを設定して、第２の通信手段１２１により応答メッセージを送る手段である。応答メッセージは、第１の端末装置１１からのサービス要求内容に対して正常にサービスを提供できた場合には、第２の記憶部１２６に記憶する正常応答内容を含むメッセージである。一方、第１の端末装置１１からのサービス要求に対して正常にサービスを提供できなかった場合には、正常応答内容以外の応答内容である。サービス要求に対して正常なサービスを提供できない場合とは、例えば、第１の端末装置１１と第２の端末装置１２間の認証が失敗した場合や何らかのエラーが発生した場合などである。
【００２８】
中継装置１３は、通信監視手段１３１と、第５の通信手段１３２と、通信内容記録手段１３６と、第２の端末装置登録手段１３５と、セッション確立登録手段１３４と、セッション確立可否判定手段１３７と、ウェイクアップ権限登録手段１３８と、ウェイクアップ識別子選択手段１３１０と、ウェイクアップ権限確認手段と、第３の記憶部１３３とを有する。
【００２９】
通信監視手段１３１は、第４の通信手段１３１１を備える。第４の通信手段１３１１は、第１の通信路１４により通信を行う手段である。本実施形態においては、第１の端末装置１１及び第２の端末装置１２と通信を行う。通信監視手段１３１は、第１の端末装置１１と第２の端末装置１２間の通信を監視する手段である。通信監視手段１３１は、第４の通信手段１３１１により受信した受信メッセージの種類を解析し、メッセージの種類ごとに分類する手段を含む手段である。
【００３０】
第５の通信手段１３２は、第２の通信路１５により通信を行う手段である。本実施形態においては、第２の端末装置１２と通信を行う。
【００３１】
第３の記憶部１３３は、ウェイクアップ権限管理テーブル１３３１と、ウェイクアップ識別子管理テーブル１３３２と、通信内容記録テーブル１３３３と、セッション確立条件管理テーブル１３３４とを有する。
【００３２】
ウェイクアップ識別子管理テーブル１３３２は、第２識別子とウェイクアップ識別子との対応関係を記憶する。ウェイクアップ識別子は、第２識別子により特定される第２の端末装置１２をウェイクアップさせるための識別子である。
【００３３】
セッション確立条件管理テーブル１３３４は、第２識別子と期待サービス要求内容と正常応答内容とを記憶する。期待サービス要求内容と正常応答内容は、第２識別子により特定される第２の端末装置１２が提供可能なサービス要求内容であり、正常応答内容は、第２識別子により特定される第２の端末装置１２が正常にサービスを提供した場合に、応答する応答内容である。
【００３４】
通信内容記録テーブル１３３３は、第１識別子と第２識別子とサービス要求内容と応答内容とを記憶する。第１識別子と第２識別子は、互いに通信を行う第１の端末装置１１と第２の端末装置１２、それぞれを特定する識別子である。
【００３５】
サービス要求内容は、第１の端末装置１１が、中継装置１３を介して第２の端末装置１２に対して要求するサービス要求内容である。サービス要求内容は、人間によって可読な形式であっても、第１の端末装置１１、中継装置１３、第２の端末装置１２との間であらかじめ取り決めた変換（ハッシング、圧縮等）を施したものであっても良い。
【００３６】
応答内容は、第２の端末装置１２が、サービス提供を行った場合、若しくは行えなかった場合に、第１の端末装置１１に対して送信する応答内容である。サービス提供を行えた場合の応答内容は、例えば、第２の端末装置１２が提供するサービスに固有なデータ転送処理が成功したことを示す情報、第１の端末装置１１と第２の端末装置１２との間での認証処理が成功したことを示す情報などである。また、応答内容は、人間によって可読な形式であっても、中継装置１３と第２の端末装置１２との間であらかじめ取り決めた変換（ハッシング、圧縮等）を施したものであっても良い。
【００３７】
ウェイクアップ権限管理テーブル１３３１は、第１識別子と第２識別子とサービス要求内容とウェイクアップ権限の有無を記憶する。ウェイクアップ権限管理テーブル１３３１は、第２識別子により特定される第２の端末装置１２が、サービス要求をした第１識別子により特定される第１の端末装置１１に対して、サービス要求内容で示されるサービスを正常に提供でき、正常応答内容を第１の端末装置１１に対して送ることができる場合に、第１識別子と第２識別子とサービス要求内容と「ウェイクアップ権限有り」と記憶する。
【００３８】
一方、ウェイクアップ権限管理テーブル１３３１は、第２の端末装置１２が、第１の端末装置１１に対して、サービスを正常に提供できず、正常で無い応答内容を第１の端末装置１１に対して送信した場合に、「ウェイクアップ権限無し」と記憶する。
【００３９】
通信内容記録手段１３６は、通信監視手段１３１により受信したサービス要求と応答内容とそのサービス要求と応答内容とを送受信する端末装置である第１の端末装置１１と第２の端末装置１２それぞれを特定する第１識別子と第２識別子とを前述した通信内容記録テーブル１３３３に記録する手段である。
【００４０】
第２の端末装置登録手段１３５は、第２識別子により特定される第２の端末装置１２から通信監視手段１３１により受信した第２識別子とウェイクアップ識別子とをウェイクアップ管理識別子管理テーブルに記録する手段である。
【００４１】
セッション確立登録手段１３４は、第２識別子により特定される第２の端末装置１２から通信監視手段１３１により受信した第２識別子と期待サービス要求内容と正常応答内容とをセッション確立条件管理テーブル１３３４に記録する手段である。
【００４２】
セッション確立可否判定手段１３７は、通信内容記録テーブル１３３３とセッション確立条件管理テーブル１３３４とを比較し、通信内容記録テーブル１３３３に記録された第２識別子、サービス要求内容及び応答内容のそれぞれが、セッション確立条件管理テーブル１３３４に記憶される第２識別子と期待サービス要求内容と正常応答内容それぞれと一致するか否かを判定する手段である。
【００４３】
ウェイクアップ権限登録手段１３８は、ウェイクアップ権限管理テーブルに第１識別子と第２識別子とサービス要求内容とウェイクアップ権限の有無を記録する手段である。ウェイクアップ権限登録手段１３８は、セッション確立可否判定手段１３７が一致すると判定した場合に、ウェイクアップ権限管理テーブル１３３１に、通信内容記録テーブル１３３３に記録された第１識別子と第２識別子とサービス要求内容と「ウェイクアップ権限有り」と記録する。一方、ウェイクアップ権限登録手段１３８は、セッション確立可否判定手段１３７が一致しないと判定した場合に、ウェイクアップ権限管理テーブル１３３１に、通信内容記録テーブル１３３３に記録された第１識別子と第２識別子とサービス要求内容とウェイクアップ権限無しと記録する。
【００４４】
ウェイクアップ識別子選択手段１３１０は、ウェイクアップ識別子管理テーブル１３３２を参照して、通信監視手段１３１により受信したサービス要求内容に含まれる宛先識別子である第２識別子に対応するウェイクアップ識別子を選択する手段である。
【００４５】
ウェイクアップ権限判定手段１３９は、ウェイクアップ権限管理テーブル１３３１を参照して、通信監視手段１３１により受信したサービス要求メッセージの第１識別子、第２識別子、サービス要求内容に関して、ウェイクアップ権限管理テーブル１３３１に記憶されているか、記憶されていないか、及び記憶されている場合に、その第１識別子、第２識別子、サービス要求内容に対して、ウェイクアップ権限があるか否かを判定する手段である。尚、通信監視手段１３１により受信したサービス要求メッセージの第１識別子、第２識別子、サービス要求内容が、ウェイクアップ権限管理テーブル１３３１に記憶されていない場合として、例えば、第１識別子により特定される第１の端末装置１１が、第２識別子により特定される第２の端末装置１２に対して、中継装置１３を介して、サービス要求内容を含むサービス要求メッセージを初めて送信する場合がある。
【００４６】
次に、本実施形態に係る通信システムの動作方法について説明する。図３は、本実施形態に係る通信システムの動作フローを示す図である。また、図４は、本実施形態に係る中継装置１３の動作方法のフローチャートを説明する。また、図５は、本実施形態に係る第２の端末装置１２の動作方法のフローチャートを示す図である。
【００４７】
まず、非スリープ状態にある第２の端末装置１２は、中継装置１３に対して、第２の通信手段１２１により、第１の通信路１４を通じて、セッション確立条件管理情報メッセージを送信する（Ｓ２０１）。図６は、セッション確立条件管理情報メッセージの一態様を示す図である。セッション確立条件管理情報メッセージは、左端を先頭とし、先頭から、宛先識別子（第１識別子）、送信元識別子（第２識別子）、メッセージ種別、期待サービス要求内容、正常応答内容を配列したメッセージである。メッセージ種別は、メッセージの内容が、期待サービス要求内容と正常応答内容であることを示すコードである。
【００４８】
また、非スリープ状態にある第２の端末装置１２は、中継装置１３に対して、第２の通信手段１２１により、第１の通信路１４を通じて、ウェイクアップ識別子管理情報メッセージを送信する（Ｓ２０１）。図７は、ウェイクアップ識別子管理情報メッセージの一態様を示す図である。ウェイクアップ識別子管理情報メッセージは、左端を先頭として、先頭から、宛先識別子（第２識別子）、送信元識別子（第１識別子）、メッセージ種別、ウェイクアップ識別子を配列したメッセージである。
【００４９】
その後、非スリープ状態にある第２の端末装置１２は、任意のタイミングで、スリープを行って良い。
【００５０】
次に、中継装置１３の通信監視手段１３１の第４の通信手段１３１１は、第１の通信路１４を通じて、第２の端末装置１２より、セッション確立条件管理情報メッセージを受信する。次に、セッション確立登録手段１３４は、通信監視手段１３１により抽出された第２識別子、期待サービス要求内容、正常応答内容をセッション確立条件管理テーブル１３３４に登録する（Ｓ１０１）。
【００５１】
また、中継装置１３の通信監視手段１３１の第４の通信手段１３１１は、第１の通信路１４を通じて、第２の端末装置１２より、ウェイクアップ識別子管理情報メッセージを受信する。次に、第２の端末装置登録手段１３５は、通信監視手段１３１により抽出された第２識別子とウェイクアップ識別子とをウェイクアップ識別子管理テーブル１３３２に登録する（Ｓ１０１）。
【００５２】
次に、第１の端末装置１１は、第１の通信手段１１１を用いて第１の通信路１４へ接続し、第１識別子を第１の通信路１４に適用することにより、中継装置１３との通信を確立する。次に、第１の端末装置１１は、サービス要求手段１１２により、サービス要求メッセージを設定し、第１の通信手段１１１によりサービス要求メッセージを中継装置１３に対して送信する。図８にサービス要求メッセージの一態様を示す図である。サービス要求メッセージは、例えば、左端を先頭とし、先頭から送信元識別子である第１識別子、宛先識別子である第２識別子、メッセージ種別、サービス要求内容を配した信号である。ここで、メッセージ種別は、メッセージがサービス要求であることを示すコードである。
【００５３】
次に、中継装置１３の通信監視手段１３１の第４の通信手段１３１１は、第１の通信路１４を通じて、第１の端末装置１１よりサービス要求メッセージを受信する（Ｓ１０２）。
【００５４】
次に、通信内容記録手段１３６は、通信監視手段１３１により抽出したサービス要求メッセージに含まれる第１識別子、第２識別子、サービス要求内容を抽出し、通信内容記録テーブル１３３３に記録する（Ｓ１０３）。
【００５５】
次に、中継装置１３のウェイクアップ権限判定手段１３９は、ウェイクアップ権限管理テーブル１３３１を参照して、通信内容記録テーブル１３３３へ新たに登録されたエントリの第１識別子と第２識別子及びサービス要求内容が一致するものがあるか判定する（Ｓ１０４）。そして、一致するものがある場合、その第１識別子と第２識別子とサービス要求内容とに対して、ウェイクアップ権限があるか否かを判定する（Ｓ１０５）。即ち、第１識別子で特定される第１の端末装置１１から第２識別子で特定される第２の端末装置１２に対して、サービス要求内容で示されるサービス要求がある場合に、中継装置１３が第２の端末装置１２をウェイクアップする権限があるか否かを判定する。
【００５６】
ウェイクアップ権限判定手段１３９が、一致するものがあると判定し、かつウェイクアップ権限があると判定した場合、ウェイアップ選択手段は、ウェイクアップ識別子管理テーブル１３３２を参照して、サービス要求メッセージに含まれる第２識別子に対応するウェイクアップ識別子を取得する（Ｓ１０６）。そして、ウェイクアップ識別子を第５の通信手段１３２により、第２の通信路１５を通じて、送信する（Ｓ１０７）。その後、第２の端末装置１２が、そのウェイクアップ識別子を受信し、ウェイクアップした第２の端末装置１２は、第１の端末装置１１に対して、応答メッセージを送信する。その後、中継装置１３は、応答メッセージを受信する（Ｓ１０８）。
【００５７】
一方、ウェイクアップ権限判定手段１３９が一致するものがあると判定し、かつウェイクアップ権限がないと判定した場合、中継装置１３のウェイクアップ識別子選択手段１３１０は、ウェイクアップ識別子を取得しない（Ｓ１０９）。その結果、中継装置１３は、第２の端末装置１２をウェイクアップさせる動作を行わない。その後、中継装置１３は、動作を終了する。尚、中継装置１３は、第１の端末装置１１に対して、第２の端末装置１２をウェイクアップさせる権限がない等のエラーメッセージを送信しても良い。
【００５８】
また、ウェイクアップ権限判定手段１３９が、一致するものがないと判定した場合、ウェイクアップ識別子選択手段１３１０は、ウェイクアップ識別子管理テーブル１３３２を参照して、サービス要求メッセージに含まれる第２識別子に対応するウェイクアップ識別子を取得する（Ｓ１１０）。そして、ウェイクアップ識別子を第５の通信手段１３２により、第２の通信路１５を通じて、送信する（Ｓ１１１）。
【００５９】
以下では、ウェイクアップ権限判定手段１３９が一致するものがないと判定した場合における通信システムの動作について説明する。
【００６０】
スリープ状態にある第２の端末装置１２は、第３の通信手段１２２により、第２の通信路１５を通じて中継装置１３からウェイクアップ識別子を受信する（Ｓ２０２）。
【００６１】
次に、ウェイクアップ識別子判定手段１２４は、受信したウェイクアップ識別子と第２の記憶部１２６に記憶するウェイクアップ識別子が一致するか否かを判定する（Ｓ２０３）。
【００６２】
ウェイクアップ識別子判定手段１２４は、一致すると判定した場合に、ウェイクアップ手段１２５に、第２の端末装置１２をウェイクアップさせる指示を出す。指示を受けたウェイクアップ手段１２５は、第２の端末装置１２をウェイクアップさせる（Ｓ２０４）。一方、一致しない場合、ウェイクアップ手段１２５に、第２の端末装置１２をウェイクアップさせる指示を出さない。その結果、一致しない場合は、第２の端末装置１２は、ウェイクアップしない（Ｓ２０５）。
【００６３】
ウェイクアップした場合、非スリープ状態にある第２の端末装置１２は、サービス要求内容を第２の通信手段１２１により受信する。そして、第２の端末装置１２は、第１の端末装置１１に対して、サービスの提供を試みる（Ｓ２０６）。その結果、第２の端末装置１２は、第１の端末装置１１に対して、正常にサービスの提供ができる場合と、正常にサービスの提供ができない場合がある。
【００６４】
サービスの提供を試みた後、第２の端末装置１２は、第１の通信手段１１１により、応答メッセージを第１の通信路１４を通じて中継装置１３を介して第１の端末装置１１に対して送信する（Ｓ２０７）。図９は、応答メッセージの一態様を示す図である。応答メッセージは、左端を先頭とし、先頭から宛先識別子である第１識別子と、送信元識別子である第２識別子と、メッセージ種別と、応答内容を配したメッセージである。ここで、応答内容は、第１の端末装置１１から受信したサービス要求内容に対する返答情報である。
【００６５】
次に、中継装置１３は、通信監視手段１３１により応答メッセージを受信する（Ｓ１１２）。次に、通信監視手段１３１は、応答メッセージから、宛先識別子である第１識別子、送信元識別子である第２識別子と、応答内容とを抽出する。そして、通信内容記録手段１３６は、応答メッセージの宛先識別子である第１識別子と通信内容記録テーブル１３３３に記録されている送信元識別子である第１識別子とが一致するエントリに、受信した応答メッセージの応答内容を記録する。その結果、通信内容記録テーブル１３３３の１エントリが完成する（Ｓ１１３）。
【００６６】
次に、中継装置１３のセッション確立可否判定手段は、セッション確立条件管理テーブル１３３４を参照して、完成した通信内容記録テーブル１３３３の１エントリの第２識別子とサービス要求内容と応答内容とセッション確立条件管理テーブル１３３４に記録される第２識別子と期待サービス要求内容と正常応答内容と一致するものがセッション確立条件管理テーブル１３３４にあるか否かを判定する（Ｓ１１４）。一致するものがある場合、完成した通信内容記録テーブル１３３３に記録されたサービス要求をした第１識別子を持つ第１の端末装置１１は、第２の端末装置１２から正常にサービス提供を受け、正常な応答内容を受信したものである。一方、一致するものがない場合、完成した通信内容記録テーブル１３３３に記録されたサービス要求をした第１識別子を持つ第１の端末装置１１は、第２の端末装置１２からサービス提供を受けることができず、第２の端末装置１２から正常な応答内容を受信することができなかったものである。
【００６７】
セッション確立可否判定手段１３７が一致するものがあると判定した場合、ウェイクアップ権限登録手段１３８は、ウェイクアップ権限管理テーブル１３３１に、第１識別子、第２識別子、サービス要求内容、ウェイクアップ権限がある旨を登録する（Ｓ１１５）。一方、一致するものがないと判定した場合、ウェイクアップ権限登録手段１３８は、ウェイクアップ権限管理テーブル１３３１に、第１識別子、第２識別子、サービス要求内容、ウェイクアップ権限がない旨を登録する（Ｓ１１６）。ウェイクアップ権限がない旨を登録された第１識別子を有する第１の端末装置１１が、第２の端末装置１２に対して、サービス要求をする場合、前述したように、ウェイクアップ権限判定手段１３９が、第１の端末装置１１に対して、ウェイクアップ権限がないと判定し、第１の端末装置１１は、第２の端末装置１２をウェイクアップすることができない。その結果、２回目以降、第２の端末装置１２から正常な応答内容を受信することができないサービス要求をする第１の端末装置１１に対して、第２の端末装置１２をウェイクアップする権限を与えないことができる。その結果、スリープ状態にある第２の端末装置１２を不必要にウェイクアップする機会を減らすことができ、第２の端末装置１２のスリープ状態を長時間保持することができるため、第２の端末装置１２の低消費電力効果を向上することができる。
【００６８】
以上の通り、本実施形態に係る通信システムによれば、第２の端末装置１２がサービス提供できないサービス要求をした第１の端末装置１１に対して、第２の端末装置１２をウェイクアップさせない制限を与えることにより、第２の端末装置１２を不必要にウェイクアップする機会を減らすことができるため、第２の端末装置１２の低消費電力効果を向上することができる。
【００６９】
尚、本実施形態においては、第１の端末装置１１から第２の端末装置１２に対して、サービス要求メッセージがあった場合に、サービス要求メッセージに対する応答内容が正常応答内容でないと判定した場合に、再び、第１の端末装置１１から第２の端末装置１２に対して、サービス要求メッセージがあった場合に、中継装置１３は、第２の端末装置１２をウェイクアップしないようにしたが、第１の端末装置１１から第２の端末装置１２へのサービス要求メッセージに対する応答内容が、正常応答内容でないと判定した場合であっても、その判定が一定回数以下であれば、一定回数以下の範囲内で、それ以降第１の端末装置１１から第２の端末装置１２へのサービス要求があった場合に、中継装置１３は、第２の端末装置１２をウェイクアップするように設定しても良い。１例として、ウェイクアップ権限登録手段１３８に関するパラメータとして、第１識別子、第２識別子、サービス要求の組み合わせ毎に猶予回数を導入することにより達成できる。例えば、猶予回数が３回である場合、セッション確立可否判定手段１３７が、正常応答内容でないと判定した場合であっても、その第１識別子、第２識別子、サービス要求内容に対する正常応答内容でないとの判定が３回以内であれば、第２の端末装置１２をウェイクアップできるようにしても良い。
【００７０】
また、本実施形態においては、特に機能の限定を入れていないが、スリープ状態における第３の通信手段１２２は、ウェイクアップ識別子と同等の特徴をもったメッセージのみを受信することができる機能に限定しても良い。その場合、例えば、スリープする第２の端末装置１２における第３の通信手段１２２は、第２の通信路１５を通じて受信したメッセージに応じた返答を送信することや、第２の通信路１５を通じ受信したメッセージの送信元識別子によって、自身をウェイクアップさせるか否かを判定させるといった高度な処理は実行できない。このように第３の通信手段１２２を限定することにより、スリープ状態において、より消費電力を低減することができる。
【００７１】
（第２の実施形態）
図１１は、第２の実施形態に係る通信システムを示すブロック図である。本実施形態の通信システムにおいては、ウェイクアップ権限を与えるか否かの条件として、中継装置２３が、第２の端末装置２２から第１の端末装置２１への応答メッセージを受信した時刻から第１の端末装置２１から第２の端末装置２２へのサービス要求を受信した時刻を引いた差分時間が、上限応答遅延時間より大きいか否かを更に加えた点が第１の実施形態と異なる。即ち、本実施形態の通信システムにおいては、差分時間が、上限応答遅延時間より大きい場合には、ウェイクアップ権限を与えず、上限応答遅延時間より小さい場合は、ウェイクアップ権限を与える。
【００７２】
本実施形態に係る通信システムは、第１の実施形態と同様に、第１の端末装置２１と中継装置２３と第２の端末装置２２とを有する。また、第１の実施形態と同様に、第１の端末装置２１と第２の端末装置２２と中継装置２３は、第１の通信路１４により互いに通信を行う。また、第２の端末装置２２と中継装置２３は、第２の通信路１５により互いに通信を行う。
【００７３】
また、第１の端末装置２１は、第１の実施形態と同様に、第１の通信手段２１１とサービス要求手段２１２と第１の記憶部２１３とを備える。また、第２の端末装置２２は、第１の実施形態と同様に、第２の通信手段２２１と第３の通信手段２２２と応答手段２２３とウェイクアップ識別子判定手段２２４とウェイクアップ手段２２５と第２の記憶部２２６とを備える。また、中継装置２３は、第１の実施形態と同様に、通信監視手段２３１と、セッション確立登録手段２３４と、第２の端末装置登録手段２３５と、通信内容記録手段２３６と、セッション確立可否判定手段２３７と、ウェイクアップ権限登録手段２３８と、ウェイクアップ権限判定手段２３９と、ウェイクアップ識別子判定手段２２４と、第５の通信手段２３２と、第３の記憶部２３３とを備える。そして、第３の記憶部２３３は、第１の実施形態と同様に、ウェイクアップ権限管理テーブル２３３１と、通信内容記録テーブル２３３３と、ウェイクアップ識別子管理テーブル２３３２と、セッション確立条件管理テーブル２３３４とを備える。
【００７４】
以下、それぞれの装置につき、第１の実施形態と異なる構成について説明する。
【００７５】
第２の端末装置２２の第２の記憶部２２６は、上限応答遅延時間を更に記憶している点が、第１の実施形態に係る第２の記憶部２２６と異なる。ここで、上限応答遅延時間とは、例えば、スリープ状態にある第２の端末装置２２が、ウェイクアップしてから、応答メッセージを送信するまでかかる時間である。上限応答遅延時間は、一定時間に定める必要がある。例えば、上限応答遅延時間は、例えば、第２の端末装置２２の管理者があらかじめ設定する方法、第２の端末装置２２がウェイクアップする際に、ウェイクアップするために要した時間を設定する方法、又は、ウェイクアップするために要した時間とサービス要求メッセージを受信してから応答メッセージを送信するまでの時間との和を設定する方法がある。
【００７６】
中継装置２３の第３の記憶部２３３の通信内容記録テーブル２３３３は、サービス要求時刻と応答時刻とを更に、記憶する点が、第１の実施形態に係る通信内容記録テーブル２３３３と異なる。
【００７７】
中継装置２３のセッション確立条件管理テーブル２３３４は、上限応答遅延時間を更に記憶する点が、第１の実施形態に係るセッション確立条件管理テーブル２３３４と異なる。
【００７８】
次に、本実施形態に係る通信システムの動作方法について説明する。図１２は、本実施形態に係る中継装置２３の動作方法のフローチャートを示す図である。
【００７９】
以下では、第１の実施形態に係る通信システムの動作方法と異なる点につき、詳細に説明し、第１の実施形態に係る通信システムの動作方法と同様の点については、適宜省略して説明する。
【００８０】
まず、非スリープ状態にある第２の端末装置２２は、中継装置２３に対して、第２の通信手段２２１により、第１の通信路１４を通じて、セッション確立条件管理情報メッセージを送信する。図１０は、セッション確立条件管理情報メッセージの一態様を示す図である。セッション確立条件管理情報メッセージは、宛先識別子（第１識別子）、送信元識別子（第２識別子）、メッセージ種別、期待サービス要求内容、正常応答内容に加えて、更に、上限応答遅延時間を含むメッセージである。
【００８１】
また、非スリープ状態にある第２の端末装置２２は、中継装置２３に対して、第２の通信手段２２１により、第１の通信路１４を通じて、ウェイクアップ識別子管理情報メッセージを送信する。ウェイクアップ識別子管理情報メッセージは、第１の実施形態に係るウェイクアップ識別子管理情報メッセージと同様のメッセージである。
【００８２】
次に、中継装置２３の通信監視手段２３１の第４の通信手段２３１１は、第１の通信路１４を通じて、第２の端末装置２２より、セッション確立条件管理情報メッセージを受信する。次に、セッション確立登録手段２３４は、通信監視手段２３１により抽出された第２識別子、期待サービス要求内容、正常応答内容、更には、上限応答遅延時間をセッション確立条件管理テーブル２３３４に登録する（Ｓ３０１）。
【００８３】
また、第１の実施形態と同様に、中継装置２３の通信監視手段２３１の第４の通信手段２３１１は、ウェイクアップ識別子管理情報メッセージを受信し、第２の端末装置登録手段２３５は、第２識別子とウェイクアップ識別子とをウェイクアップ識別子管理テーブル２３３２に登録する（Ｓ３０１）。
【００８４】
次に、中継装置２３との通信を確立した第１の端末装置２１は、第１の実施形態と同様に、第１の通信手段２１１によりサービス要求メッセージを中継装置２３に対して送信する。
【００８５】
次に、中継装置２３の通信監視手段２３１の第４の通信手段２３１１は、第１の実施形態と同様に、サービス要求メッセージを受信する（Ｓ３０２）。通信監視手段２３１は、サービス要求メッセージから第１識別子、第２識別子、サービス要求内容に加えて、更に、サービス要求メッセージを受信通信した時刻（以下、サービス要求時刻。）を抽出する。そして、通信内容記録手段２３６は、通信監視手段２３１により抽出したサービス要求メッセージに含まれる第１識別子、第２識別子、サービス要求内容、更に、サービス要求時刻を通信内容記録テーブル２３３３に記録する（Ｓ３０３）。
【００８６】
次に、中継装置２３のウェイクアップ権限判定手段２３９は、第１の実施形態と同様に、ウェイクアップ権限管理テーブル２３３１を参照して、通信内容記録テーブル２３３３へ新たに登録されたエントリの第１識別子と第２識別子及びサービス要求内容との組み合わせと同一の組み合わせがあるか否かを判定し（Ｓ３０４）、同一の組み合わせがあった場合、その組み合わせに対して、ウェイクアップ権限があるか否かを判定する（Ｓ３０５）。
【００８７】
ウェイクアップ権限判定手段２３９が、一致するものがあると判定し、かつウェイクアップ権限があると判定した場合、ウェイアップ選択手段は、第１の実施形態と同様に、ウェイクアップ識別子を取得して（Ｓ３０６）、そのウェイクアップ識別子を第５の通信手段２３２により、第２の通信路１５を通じて、送信する（Ｓ３０７）。第１の実施形態と同様に、その後、ウェイクアップ識別子を受信した第２の端末装置２２は、ウェイクアップし、中継装置２３及び第１の端末装置２１に対して、応答メッセージを送信する。その後、中継装置２３は、応答メッセージを受信する（Ｓ３０８）。
【００８８】
また、ウェイクアップ権限判定手段２３９が、一致するものがあると判定し、かつウェイクアップ権限がないと判定した場合、第１の実施形態と同様に、中継装置２３は、第２の端末装置２２をウェイクアップさせる動作を行わない（Ｓ３０９）。
【００８９】
また、ウェイクアップ権限判定手段２３９が、一致するものがないと判定した場合、ウェイクアップ識別子選択手段２３１０は、第１の実施形態と同様に、ウェイクアップ識別子を取得して（３１０）、そのウェイクアップ識別子を第５の通信手段２３２により、第２の通信路１５を通じて、送信する（３１１）。
【００９０】
以下では、ウェイクアップ権限判定手段２３９が、一致するものがないと判定した場合の通信システムの動作について説明する。
【００９１】
スリープ状態にある第２の端末装置２２は、第１の実施形態と同様に、ウェイクアップ識別子を受信し、受信したウェイクアップ識別子と第２の記憶部２２６に記憶するウェイクアップ識別子とが一致する場合に、第２の端末装置２２は、ウェイクアップする。一致しない場合は、第２の端末装置２２は、第１の実施形態と同様に、ウェイクアップしない。
【００９２】
ウェイクアップした場合、非スリープ状態にある第２の端末装置２２は、第１の端末装置２１に対して、サービスの提供を試みて、応答メッセージを中継装置２３を介して第１の端末装置２１に対して送信する。
【００９３】
次に、中継装置２３の通信監視手段２３１の第４の通信手段２３１１は、第１の実施形態と同様に、応答メッセージを受信する（Ｓ３１２）。通信監視手段２３１は、応答メッセージから宛先識別子である第１識別子、送信元識別子である第２識別子、応答内容に加えて、更に、応答メッセージを受信した時刻（以下、応答時刻。）を抽出する。そして、通信内容記録手段２３６は、応答メッセージの宛先識別子である第１識別子と通信内容記録テーブル２３３３に記録されている送信元識別子である第１識別子とが一致するエントリに、受信した応答メッセージの応答内容に加えて、更に、応答時刻を記録する。その結果、通信内容記録テーブル２３３３の１エントリが完成する（Ｓ３１３）。
【００９４】
次に、中継装置２３のセッション確立可否判定手段２３７は、第１の実施形態と同様に、完成した通信内容記録テーブル２３３３の１エントリの第２識別子とサービス要求内容と応答内容とセッション確立条件管理テーブル２３３４に記録される第２識別子と期待サービス要求内容と正常応答内容と一致するものがセッション確立条件管理テーブル２３３４にあるか否かを判定する（Ｓ３１４）。
【００９５】
一致するものがある場合、中継装置２３のセッション確立判定手段は、通信記録テーブルに記録された応答時刻からサービス要求時刻を引いた差分時間が、前記セッション確立判定手段が一致するものがあると判定したセッション確立条件管理テーブル２３３４に記録された上限応答遅延時間より大きいか小さいかを判定する（Ｓ３１５）。
【００９６】
中継装置２３のセッション確立判定手段が、小さいと判定した場合に、ウェイクアップ権限登録手段２３８は、ウェイクアップ権限管理テーブル２３３１に、第１識別子、第２識別子、サービス要求内容、ウェイクアップ権限がある旨を登録する（Ｓ３１６）。一方、大きいと判定した場合に、第１識別子、第２識別子、サービス要求内容、ウェイクアップ権限がない旨を登録する（Ｓ３１７）。
【００９７】
一方、セッション条件管理テーブルに一致するものがないと判定した場合、ウェイクアップ権限登録手段２３８は、ウェイクアップ権限管理テーブル２３３１に、第１識別子、第２識別子、サービス要求内容、ウェイクアップ権限がない旨を登録する（Ｓ３１８）。
【００９８】
ウェイクアップ権限がない旨を登録された第２識別子を有する第２の端末装置２２に対してサービス要求をする第１識別子を有する第１の端末装置２１は、前述したように、ウェイクアップ権限判定手段２３９が、ウェイクアップ権限がないと判定し、第２の端末装置２２をウェイクアップすることができない。その結果、２回目以降、第２の端末装置２２から正常な応答内容を受信することができないサービス要求をする第１の端末装置２１に対して、第２の端末装置２２をウェイクアップする権限を与えないことができる。その結果、スリープ状態にある第２の端末装置２２を不必要にウェイクアップする機会を減らすことができ、第２の端末装置２２のスリープ状態を長時間保持することができるため、第２の端末装置２２の低消費電力効果を向上することができる。
【００９９】
また、本実施形態に係る通信システムにおいて、中継装置２３がサービス要求を受信後、上限応答遅延時間以内に応答メッセージを受信できない場合に、その中継装置２３を介して第２の端末装置２２に対してサービス要求を送信する第１の端末装置２１に対して、第２の端末装置２２をウェイクアップさせない制限を与えることができる。その結果、第２の端末装置２２は、ウェイクアップ後、応答時刻までにかかる時間が上限応答遅延時間以下の場合にのみウェイクアップすることとなるため、中継装置２３が、第１の端末装置２１と第２の端末装置２２との通信される情報、例えば、通信内容記録テーブル２３３３に記録される情報を保持すべき時間が、上限応答遅延時間以下であれば良く、中継装置２３の資源の利用効率が良くなる。即ち、中継装置２３が、通信内容記録テーブル２３３３に記録される情報を保持すべき時間を、第２の端末装置２２が第２の記憶部２２６に記憶する上限応答遅延時間に合わせて設定できるため、中継装置２３の資源の利用効率が良くなる。また、中継装置２３は、上限応答遅延時間は、第２の端末装置毎に決まるため、通信内容記録テーブル２３３３に記録される情報を保持すべき時間を、第２の端末装置毎に決めることができるため、中継装置２３の資源の利用効率が良くなる。例えば、通信内容記録テーブル２３３３を管理するための処理負荷を軽減でき、また、通信内容記録テーブル２３３３を保持するためのメモリサイズを縮小できる。
【０１００】
尚、本実施形態においては、セッション確立判定手段が、通信内容記録テーブル２３３３に記録された第２識別子とサービス要求内容と応答内容が、セッション確立条件管理テーブル２３３４に記録されるものと一致するか否かを判定後、通信記録テーブルに記録された応答時刻からサービス要求時刻を引いた差分時間が、セッション確立条件管理テーブル２３３４に記録された上限応答遅延時間より大きいか小さいかを判定していたが、前述した差分時間が、上限応答遅延時間より大きいか小さいかを判定後、第２識別子とサービス要求内容と応答内容が一致するか否かを判定しても良い。
【０１０１】
また、本実施形態においては、第１の端末装置２１から第２の端末装置２２に対して、サービス要求メッセージがあった場合に、サービス要求メッセージの時刻と応答メッセージの時刻の差分時間が上限応答遅延時間以上であると判定した場合に、再び、第１の端末装置２１から第２の端末装置２２に対して、サービス要求メッセージがあった場合に、中継装置２３は、第２の端末装置２２をウェイクアップしないようにしたが、第１の端末装置２１から第２の端末装置２２へのサービス要求メッセージと応答メッセージの差分時間が、上限応答遅延時間以上であると判定した場合であっても、その判定が一定回数以下であれば、一定回数以下の範囲内で、それ以降第１の端末装置２１から第２の端末装置２２へのサービス要求があった場合に、中継装置１３は、第２の端末装置２２をウェイクアップするように設定しても良い。１例として、ウェイクアップ権限登録手段２３８に関するパラメータとして、第１識別子、第２識別子、サービス要求の組み合わせ毎に猶予回数を導入することにより達成できる。例えば、猶予回数が３回である場合、セッション確立可否判定手段２３７が、差分時間が、上限応答遅延時間より大きいと判定した場合であっても、その第１識別子、第２識別子、サービス要求内容に関して、上限応答遅延時間より大きいとの判定が３回以内であれば、第２の端末装置２２をウェイクアップできるようにしても良い。
【０１０２】
なお、本発明は上記第1の実施形態、第２の実施形態そのままに限定されるものではなく、実施段階ではその要旨を逸脱しない範囲で構成要素を変形して具体化できる。また、上記第1の実施形態及び第２の実施形態に開示されている複数の構成要素の適宜な組み合わせにより、種々の発明を形成できる。例えば、第1の実施形態、及び第２の実施形態に示される全構成要素から幾つかの構成要素を削除してもよい。さらに、第1の実施形態、及び第２の実施形態にわたる構成要素を適宜組み合わせてもよい。
【０１０３】
たとえば、各実施形態に係る第３の記憶部のウェイクアップ権限管理テーブル、ウェイクアップ識別子管理テーブル、通信内容記録テーブル、セッション確立条件管理テーブルの構成は、各実施形態に示した構成に限られない。例えば、通信内容記録テーブルは、第１識別子、第２識別子、応答内容が記録され、サービス要求内容が記録されていないテーブルであり、セッション確立条件管理テーブルは、第２識別子と正常応答内容が記録され、期待サービス要求内容が記録されていないテーブルであっても良い。この場合、第１識別子により特定される第１の端末装置に対する、第２識別子により特定される第２の端末装置へのウェイクアップ権限の有無の判断は、応答内容が正常応答内容であるか否かにより行う。
【０１０４】
また、ウェイクアップ権限管理テーブルは、第１識別子、第２識別子、ウェイクアップ権限の有無が記録され、サービス要求内容が記録されていないテーブルであっても良い。この場合、ウェイクアップ権限判定手段は、第１識別子により特定される第１の端末装置によるサービス要求によらず、第１識別子により特定される第１の端末装置に対する第２識別子により特定される第２の端末装置をウェイクアップする権限の有無を決定する。
【０１０５】
また、各実施形態における動作方法は、１例にすぎず、動作の順番等を変えても良い。
【０１０６】
例えば、第１の実施形態及び第２の実施形態においては、ウェイクアップ権限判定手段が、ウェイクアップ権限の有無を確認後、権限の有無によりウェイクアップ識別子選択手段が、ウェイクアップ識別子を取得、若しくは取得せず、更に、取得した場合に、そのウェイクアップ識別子を第５の通信手段により、第２の端末装置に対して送信していた。しかしながら、ウェイクアップ権限の有無にかかわらず、ウェイクアップ識別子選択手段が、ウェイクアップ識別子取得後、ウェイクアップ識別子権限判定手段が、ウェイクアップ権限の有無を判定し、ウェイクアップ権限の有無により取得したウェイクアップ識別子を第５の通信手段により送信する、若しくは、送信しないようにしてもよい。  
【図面の簡単な説明】
【０１０７】
【図１】第１の実施形態に係る通信システムを示すブロック図。
【図２】第１の実施形態に係るウェイクアップ手段の構成を示す図。
【図３】第１の実施形態に係る通信システムの動作フローを示す図。
【図４】第１の実施形態に係る中継装置の動作方法のフローチャートを示す図。
【図５】第１の実施形態に係る第２の端末装置の動作方法のフローチャートを示す図。
【図６】セッション確立条件管理情報メッセージの一態様を示す図。
【図７】ウェイクアップ識別子管理情報メッセージの一態様を示す図。
【図８】サービス要求メッセージの一態様を示す図。
【図９】応答メッセージの一態様を示す図。
【図１０】セッション確立条件管理情報メッセージの一態様を示す図。
【図１１】第２の実施形態に係る通信システムを示すブロック図。
【図１２】第２の実施形態に係る中継装置の動作方法のフローチャートを示す図。
【符号の説明】
【０１０８】
１１、２１・・・第１の端末装置
１１１、２１１・・・第１の通信手段
１１２、２１２・・・サービス要求手段
１１３、２１３・・・第１の記憶部
１２、２２・・・第２の端末装置
１２１、２２１・・・第２の通信手段
１２２、２２２・・・第３の通信手段
１２３、２２３・・・応答手段
１２４、２２４・・・ウェイクアップ識別子判定手段
１２５、２２５・・・ウェイクアップ手段
１２５１・・・リレー制御部
１２５２・・・電圧変換部
１２６、２２６・・・第２の記憶部
１２７・・・電源部
１３、２３・・・中継装置
１３１、２３１・・・通信監視手段
１３１１、２３１１・・・第４の通信手段
１３２、２３２・・・第５の通信手段
１３３、２３３・・・第３の記憶部
１３３１、２３３１・・・ウェイクアップ権限管理テーブル
１３３２、２３３２・・・ウェイクアップ識別子管理テーブル
１３３３、２３３３・・・通信内容記録テーブル
１３３４、２３３４・・・セッション確立条件管理テーブル
１３４、２３４・・・セッション確立登録手段
１３５、２３５・・・第２の端末装置登録手段
１３６、２３６・・・通信内容記録手段
１３７、２３７・・・セッション確立可否判定手段
１３８、２３８・・・ウェイクアップ権限登録手段
１３９、２３９・・・ウェイクアップ権限判定手段
１３１０、２３１０・・・ウェイクアップ識別子選択手段
１４、２４・・・第１の通信路
１５、２５・・・第２の通信路
【図１】
2010109928.tif 000003
【図２】
2010109928.tif 000004
【図３】
2010109928.tif 000005
【図４】
2010109928.tif 000006
【図５】
2010109928.tif 000007
【図６】
2010109928.tif 000008
【図７】
2010109928.tif 000009
【図８】
2010109928.tif 000010
【図９】
2010109928.tif 000011
【図１０】
2010109928.tif 000012
【図１１】
2010109928.tif 000013
【図１２】
2010109928.tif 000014